(57)【要約】      （修正有）【課題】サーバー装置内に電子部品を固定する装置を提供する。【解決手段】装置（ロック機構１００）は、サーバー装置内に装置を固定する支持ブラケット１７０を含む。また、装置は、支持ブラケット内に回動可能に収容される固定構造体１１０を含む。さらに、装置は、固定構造体に接続されるフック構造体１４０を含む。フック構造体及び固定構造体は、係合位置と解除位置との間で回動する。フック構造体は、電子部品の対応する要素を固定するノッチ要素を含む。【選択図】図１
2020035414.tif 000002
【特許請求の範囲】
【請求項１】
サーバー装置内に電子部品を固定する装置であって、
前記サーバー装置の少なくとも１つの孔に対応する少なくとも１つの孔を備え、前記サーバー装置内に該装置を固定する支持ブラケットと、
前記支持ブラケットの受容領域内に回動可能に収容される固定構造体と、
前記固定構造体に接続される少なくとも１つのフック構造体であって、該少なくとも１つのフック構造体及び前記固定構造体が係合位置と解除位置との間で回動するように構成された、少なくとも１つのフック構造体と、
を備え、
前記少なくとも１つのフック構造体は、前記電子部品の対応する要素を固定するように構成されたノッチ要素を備える、装置。
【請求項２】
前記少なくとも１つのフック構造体は２つのフック構造体を備え、第１のフック構造体は前記固定構造体の近位端に位置し、第２のフック構造体は前記固定構造体の遠位端に位置する、請求項１に記載の装置。
【請求項３】
前記少なくとも１つのフック構造体は、トラフ形状部によって分離された第１のクレスト形状部及び第２のクレスト形状部を備え、前記ノッチ要素は前記第２のクレスト形状部と前記トラフ形状部との間に位置する、請求項１に記載の装置。
【請求項４】
前記少なくとも１つのフック構造体は、前記第２のクレスト形状部に位置する押圧領域を更に備え、前記押圧領域は、前記少なくとも１つのフック構造体及び前記固定構造体を前記係合位置と前記解除位置との間で回動させる力を受けるように構成される、請求項３に記載の装置。
【請求項５】
少なくとも１つの請求項１に記載の装置を固定するように構成されたトレイ装置と、
少なくとも１つの請求項１に記載の装置によって前記サーバー装置内に固定されるように構成された少なくとも１つのアドオンカードと、
を備える、サーバー装置。
【請求項６】
前記トレイ装置は、前記支持ブラケットを固定するように構成されたブリッジ部品を備える、請求項５に記載のサーバー装置。
【請求項７】
サーバー装置内に電子部品を固定する装置であって、
前記サーバー装置内に該装置を固定するように構成される支持ブラケットと、
前記支持ブラケットの受容領域内に取り付けられる固定構造体であって、前記支持ブラケット及び該固定構造体は、前記サーバー装置内に前記電子部品を固定するために、係合位置と解除位置との間で摺動するように構成される、固定構造体と、
を備える、装置。
【請求項８】
前記支持ブラケットは、前記装置が前記係合位置と前記解除位置との間で摺動するように構成されるように、細長い孔を備える、請求項７に記載の装置。
【請求項９】
前記固定構造体は、前記サーバー装置の関連要素を固定するように構成されるリップ形状部及び少なくとも１つの孔を備え、前記リップ形状部は、前記支持ブラケット及び前記固定構造体を前記係合位置と前記解除位置との間で摺動させる力を受けるように構成される、請求項７に記載の装置。
【請求項１０】
前記係合位置において、前記装置は、前記電子部品の係合要素と、前記サーバー装置の
固定用要素との間のアタッチメントをロックするように構成される、請求項７に記載の装置。
【発明の詳細な説明】
【技術分野】
【０００１】
本発明は、サーバー装置内にアドオンカードを固定する装置に関する。
【背景技術】
【０００２】
従来のサーバー装置は通常、サーバーメインボードと、周辺部品インターフェース（ＰＣＩ：Peripheral Component Interface）スロットと、インテリジェント周辺機器管理インターフェース（ＩＰＭＩ：Intelligent Peripheral Management Interface）互換サーバー管理アドオンカードとを含む。ＰＣＩスロットは通常、サーバーのメインボードに取り付けられる。ＩＰＭＩ互換のサーバー管理アドオンカードは、ＰＣＩスロットのうちの１つに取外し可能に取り付けることができる。
【０００３】
サーバーのメインボードには、様々な電子部品がある。これらの部品は、通常、中央処理装置と、サウスブリッジ及びノースブリッジのチップセットと、ネットワークカードと、センサーと、入出力（Ｉ／Ｏ）コントローラーと、ファンとを含む。各ＰＣＩスロットは、サーバーのメインボードの電子部品に結合された１組の第１の電気接点を有する。
【０００４】
アドオンカードは、第１の電気接点と電気的に接続する１組の第２の電気接点を有する。アドオンカードは、サーバーのメインボードの電子部品の遠隔監視と制御を可能にするためによく使用される。アドオンカードは、通常アドオンカードロック機構を使用してＰＣＩスロット内の所定の位置に取り付けられる。ロック機構は、アドオンカードのＰＣＩスロット内に確実に固定されるように衝撃及び振動試験に合格するために必要である。結果として、典型的なロック機構は、常に係合と解除に不都合な剛性部品から構成される。本開示は、アドオンカードの係合及び解除に便利なツールレスなロック機構を教示する。
【先行技術文献】
【特許文献】
【０００５】
【特許文献１】米国特許第７，２８１，６９４号
【発明の概要】
【０００６】
本開示の実施形態は、サーバー装置内に電子部品を固定する装置に関する。装置は支持ブラケットを含む。装置はまた、支持ブラケット内に回動可能に収容される固定構造体を含む。さらに、装置は、フック構造体及び固定構造体が係合位置と解除位置との間で回動するように構成される、固定構造体に接続されたフック構造体を含むことができる。フック構造体は、電子部品の対応する要素を固定するように構成されたノッチ要素を含むことができる。
【０００７】
本開示のいくつかの実施形態において、固定構造体は、支持ブラケットの受容領域内に固定され、ヒンジデバイスによって接続される。本開示のいくつかの実施形態において、装置は２つのフック構造体を含むことができる。第１のフック構造体は固定構造体の近位端に位置することができ、第２のフック構造体は固定構造体の遠位端に位置することができる。フック構造体は、第１のクレスト形状部及び第２のクレスト形状部を含むことができ、両方の形状部はトラフ形状部によって分離される。ノッチ要素は、第２のクレスト形状部とトラフ形状部との間に位置することができる。
【０００８】
いくつかの実施形態において、フック構造体は、第２のクレスト形状部に位置する押圧領域を含むことができる。押圧領域は、フック構造体及び固定構造体を係合位置と解除位置との間で回動させる力を受けるように構成することができる。いくつかの実施形態にお
いて、支持ブラケットはサーバー装置の孔に対応する孔を含み、両方の孔は装置をサーバー装置内に固定する固定部材を受ける。
【０００９】
本開示はまた、トレイデバイス、上記の装置及びアドオンカードを含むサーバー装置に関する。トレイデバイスは、装置を固定するように構成される。アドオンカードは、装置によってサーバー装置内に固定されるように構成される。いくつかの実施形態において、トレイデバイスは、支持ブラケットを固定するように構成されるブリッジ部品を含む。
【００１０】
本開示の実施形態はまた、サーバー装置内に電子部品を固定する代替の装置に関する。代替の装置は、サーバー装置内に装置を固定するように構成された支持ブラケットを含むことができる。装置はまた、支持ブラケット及び固体構造体が係合位置と解除位置との間で摺動するように構成されるように、支持ブラケット内に取り付けられた固定構造体を含むことができる。いくつかの実施形態において、固定構造体は、支持ブラケットの受容領域内に固定される。
【００１１】
本開示のいくつかの実施形態において、支持ブラケットは、装置が係合位置と解除位置との間で摺動するように構成される細長い孔を含む。いくつかの実施形態において、固定構造体はリップ形状部及び孔を含み、両者はサーバー装置の対応する要素を固定するように構成される。いくつかの実施形態において、リップ形状部は、支持ブラケット及び固定構造体を係合位置と解除位置との間で摺動させる力を受けるように構成される。
【００１２】
係合位置において、その装置は、電子部品の係合要素と、サーバー装置の固定用要素との間のアタッチメントをロックするように構成することができる。また、本開示は、トレイデバイス、上記の代替の装置及びアドオンカードを含むサーバー装置に関する。トレイデバイスは、固定用要素を含むことができる。また、トレイデバイスは、装置を固定するように構成することができる。アドオンカードは、トレイデバイスの固定用要素に接続するように構成される係合要素を含むことができる。アドオンカードは、代替の装置によってサーバー装置内に固定することができる。さらに、トレイデバイスは、支持ブラケットを固定するように構成されたブリッジ部品を含むことができる。
【００１３】
本開示の更なる特徴及び利点は以下の説明において記述され、その説明から部分的に本明細書から明らかであるか、又は本明細書において開示される原理の実践によって習得され得る。本開示の特徴及び利点は、添付の特許請求の範囲において特に指摘される手段及び組み合わせによって理解及び習得することができる。本開示のこれらの特徴及び他の特徴は、以下の説明及び添付の特許請求の範囲から完全に明らかになるか、又は本明細書において記述される原理の実践によって習得できる。
【００１４】
上記の開示、並びにその利点及び特徴を習得できる方法を説明するために、上記の原理のより具体的な説明は、添付の図面に示される具体例を参照することによって行われる。これらの図面は本開示の例示的な態様のみを示し、それゆえ、本開示の範囲を限定するものと見なされるべきではない。これらの原理は、添付の図面により、更に具体的にかつ詳細に記述及び説明される。
【図面の簡単な説明】
【００１５】
【図１】本開示の一実施形態による、ロック機構の分解図である。
【図２】本開示の一実施形態による、図１のロック機構の上面図である。
【図３】本開示の一実施形態による、図１のロック機構の正面図である。
【図４】本開示の一実施形態による、トレイ装置上に取り付けられる図１のロック機構を示す図である。
【図５】本開示の一実施形態による、サーバー装置内のトレイ装置上に取り付けられる２つ以上のロック機構を示す図である。
【図６】本開示の１つ以上の実施形態による、サーバー装置内のロック機構を解除するために加えられる力を示す図である。
【図７】本開示の１つ以上の実施形態による、サーバー装置内の解除状態のロック機構を示す図である。
【図８】本開示の１つ以上の実施形態による、ロック機構によってサーバー装置内に固定される複数のアドオンカードを示す図である。
【図９Ａ】本開示の１つ以上の実施形態による、サーバー装置内のロック機構を係合させるために加えられる第１の力を示す図である。
【図９Ｂ】本開示の１つ以上の実施形態による、サーバー装置内のロック機構を係合させるために加えられる第２の力を示す図である。
【図９Ｃ】本開示の１つ以上の実施形態による、サーバー装置内にアドオンカードを固定する係合状態のロック機構を示す図である。
【図１０Ａ】本開示の１つ以上の実施形態による、サーバー装置内のロック機構を係合させるために力を加える側面図である。
【図１０Ｂ】本開示の１つ以上の実施形態による、サーバー装置内にアドオンカードを固定する係合状態のロック機構の側面図である。
【図１１】本開示の一実施形態による、ロック機構の分解図である。
【図１２】本開示の一実施形態による、図１１のロック機構の上面図である。
【図１３】本開示の一実施形態による、図１１のロック機構の正面図である。
【図１４】本開示の一実施形態による、トレイ装置上に取り付けられる図１１のロック機構を示す図である。
【図１５】本開示の一実施形態による、トレイ装置上に取り付けられる２つ以上のロック機構を示す図である。
【図１６】本開示の１つ以上の実施形態による、サーバー装置内のロック機構を解除するために加えられる力を示す図である。
【図１７】本開示の１つ以上の実施形態による、サーバー装置内の解除状態のロック機構を示す図である。
【図１８】本開示の１つ以上の実施形態による、ロック機構によってサーバー装置内に固定される複数のアドオンカードを示す図である。
【図１９Ａ】本開示の１つ以上の実施形態による、サーバー装置内のロック機構を係合させるために加えられる第１の力を示す図である。
【図１９Ｂ】本開示の１つ以上の実施形態による、サーバー装置内のロック機構を係合させるために加えられる第２の力を示す図である。
【図１９Ｃ】本開示の１つ以上の実施形態による、サーバー装置内にアドオンカードを固定する係合状態のロック機構を示す図である。
【図２０Ａ】本開示の１つ以上の実施形態による、サーバー装置内のロック機構を係合させるために力を加える側面図である。
【図２０Ｂ】本開示の１つ以上の実施形態による、サーバー装置内にアドオンカードを固定する係合状態のロック機構の側面図である。
【発明を実施するための形態】
【００１６】
本発明を添付の図を参照して説明する。なお、同様の又は同等の要素を指示するために図面全体にわたって同じ参照番号が使用される。図面は縮尺通りに描かれておらず、本発明を例示するためにのみ提供される。本発明のいくつかの態様は例示のための適用例を参照しながら以下に説明される。本発明の完全な理解を提供するために、多くの具体的な詳細、関係及び方法が記述されることを理解されたい。しかしながら、当業者は、特定の詳細の１つ以上を用いることなく、又は他の方法で実施可能なことを容易に認識されよう。他の例では、本発明を不明瞭にすることを避けるために、既知の構造又は動作は詳細には示されていない。いくつかの動作が異なる順序で、及び／又は他の動作若しくは事象と同
時に起こりえるので、本発明は図示された動作又は事象の順序によって限定されない。さらに、本発明による方法を実施するために、図示される全ての動作又は事象の全てが要求されるわけではない。
【００１７】
図１は、本開示の一実施形態による、ロック機構１００の分解図である。ロック機構１００は、固定構造体１１０と、フック構造体１４０と、支持ブラケット１７０とを含むことができる。固定構造体１１０は、フック構造体１４０を固定するように構成される。支持ブラケット１７０は、固定構造体１１０及びフック構造体１４０が係合位置と解除位置との間で回動できるように、固定構造体１１０を収容するように構成される。ロック機構１００は、サーバー装置（図示せず）内にアドオンカードを固定するように構成される。これは、図８に関連して後に示される。ロック機構１００は、例えば、インテリジェント周辺機器管理インターフェース（ＩＰＭＩ）互換サーバー管理アドオンカード等の種々のタイプのアドオンカードを固定するように設計することができる。ロック機構１００及びその部品は、曲げ加工、成形加工及びプレス加工等の従来の金属加工技法を用いて、板金で作ることができる。代替の実施形態において、ロック機構１００は、ステンレス鋼、軟鋼、又は費用体効果が高く、かつ硬度が高く及び耐食性を実現する任意の材料から作ることができる。
【００１８】
固定構造体１１０は、近位端１１１と、対向する遠位端１１２とを備える細長い本体を含むことができる。また、固定構造体１１０は、上面１１３と、側面１１４と、近位端１１１にある第１の側面１１５と、遠位端１１２にある第２の側面１１６とを含むこともできる。第２の側面１１６は、固定構造体１１０を支持ブラケット１７０に固定する固定部材を受けるように構成される孔１１７を有することができる。孔１１７は、タブ１１８上に位置することができる。第１の側面１１５も、固定構造体１１０を支持ブラケット１７０に固定する固定部材を受けるように構成される対応する孔（図示せず）を有することができる。第１の側面１１５の孔はタブ１１９上に位置することができる。両側にある孔は、２つの部品が嵌合するように、互いに、かつ支持ブラケット１７０上に位置する孔１７１、１７２と位置合わせすることができる。固定構造体１１０及び支持ブラケット１７０は、ナット及びボルト、ねじ等の任意のコネクタ又は固定部材を用いて、嵌合することができる。この例の場合には、固定構造体１１０及び支持ブラケット１７０の両方の孔が、ピボット要素１９０を受けるように構成される。ピボット要素１９０は、両方の構造体を接続するだけでなく、固定構造体１１０が支持ブラケット１７０内で回動できるようにする。
【００１９】
支持ブラケット１７０は、固定構造体１１０を収容するように構成される受容領域１７９を含むことができる。受容領域１７９は、孔１８０及び１８１を含むことができる。孔１８０、１８１は、ロック機構１００をトレイ装置（図示せず）に固定するために、トレイ装置内の孔と位置合わせするように構成される。これが、図４に関連して以下により詳細に論じられる。
【００２０】
固定構造体１１０の側面１１４は、フック構造体１４０を受ける孔を有することができる。固定構造体１１０の上面１１３は、同様に複数の孔を有することができる。上面１１３の近位端１１１は、孔１２０を有することができる。一方、上面１１３の遠位端１１２は孔１２１を有することができる。図１のロック機構１００は２つのフック構造体１４０を示すが、本明細書において任意の数のフック構造体１４０を実施できることを理解されたい。孔１２０、１２１は、２つの部品が互いに嵌合するように、互いに、かつフック構造体１４０上に位置する受け要素１４１と位置合わせできる。具体的には、フック構造体１４０及び固定構造体１１０は、ナット及びボルト、ねじ等の任意のコネクタ又は固定部材を用いて、嵌合される。図１のこの例の場合には、固定構造体１１０の孔１２０、１２１及びフック構造体１４０の受け要素１４１は、固定用要素１９５を受けるように構成さ
れる。受け要素１４１は、固定構造体１１０をフック構造体１４０に固定する固定用要素１９５を受けるように構成されたねじ山を含むことができる。
【００２１】
フック構造体１４０は、トラフ形状部１４６によって分離された第１のクレスト形状部１４４及び第２のクレスト形状部１４５を含むことができる。受け要素１４１は、第１のクレスト形状部１４４に位置することができる。トラフ形状部１４６は、アドオンカード（図示せず）と当接するように構成することができる。第２のクレスト形状部１４５は、押圧領域１４７を含むことができる。押圧領域１４７は、フック構造体１４０（及び固定構造体１１０）を係合位置と解除位置との間で回動させる力を受けるように構成することができる。これについては、以下により詳細に論じる。
【００２２】
図２及び図３は、それぞれ、ロック機構１００の上面図及び正面図を示す。図２を参照すると、支持ブラケット１７０は、近位端１７３及び遠位端１７４を含むことができる。支持ブラケット１７０は、近位端１７３において第１のタブ１７５を含む。第１のタブ１７５は孔１７７を含むことができる。同様に、支持ブラケット１７０は、遠位端１７４に第２のタブ１７６を含む。第２のタブ１７６は孔１７８を含むことができる。ロック機構１００は、ナット及びボルト、ねじ等の任意のコネクタ又は固定部材を用いて、トレイ装置（図示せず）に固定することができる。孔１７７、１７８は、コネクタ又は固定部材を受けるように構成される。
【００２３】
図２及び図３は、係合位置にあるロック機構１００を示す。この位置において、フック構造体１４０及び固定構造体１１０は支持ブラケット１７０内に固定される。図３に示されるように、フック構造体１４０のトラフ形状部１４６は、係合位置でロック機構１００の基部から突出する。トラフ形状部１４６は、この位置でアドオンカードを固定するように構成される。押圧領域１４７も、係合位置でロック機構１００の上部から突出する。押圧領域１４７は、ロック機構１００を解除する力を受けてアドオンカードを解放するように構成される。
【００２４】
図４は、本開示の一実施形態による、トレイ装置４００上に取り付けられたロック機構１００を示す。トレイ装置４００は、孔４０１及び孔４０２を含むことができる。孔４０１、４０２は、２つの部品が互いに嵌合するように、互いに、かつ支持ブラケット１７０の孔（図２に関連して上述の［１７７、１７８］）と位置合わせできる。トレイ装置４００及び支持ブラケット１７０は、リベット、ナット及びボルト、ねじ等の任意のコネクタ又は固定部材を用いて嵌合することができる。図４のこの例の場合には、トレイ装置４００及び支持ブラケット１７０の両方の孔が、リベット４２０を受けるように構成される。トレイ装置４００はブリッジ４０３も含むことができる。ブリッジ４０３は、ロック機構１００の支持ブラケット１７０と接続するように構成される。ブリッジ４０３は、孔４０４及び４０５を含むことができる。孔４０４、４０５は、２つの部品が互いに、嵌合するように、互いに、かつ支持ブラケット１７０の孔（図１に関連して上述の［１８０、１８１］）と位置合わせできる。ブリッジ４０３及び支持ブラケット１７０は、リベット、ナット及びボルト、ねじ等の任意のコネクタ又は固定部材を用いて嵌合することができる。図４のこの例の場合には、ブリッジ４０３及び支持ブラケット１７０の両方の孔が、リベット４２５を受けるように構成される。本明細書では他の固定部材又はコネクタを実施することができるが、リベット４２０、４２５は、ロック機構１００をトレイ装置４００に締結する費用体効果が高い方法を提供する。
【００２５】
トレイ装置４００に複数のロック機構１００を取り付けることができることを理解されたい。図５は、トレイ装置４００上に取り付けられた２つのロック機構１００を示す。トレイ装置４００は、サーバー装置６００内に取り付けることができる。サーバー装置６００内に取り付けられるとき、ロック機構１００は、アドオンカードを受けるように係合及
び解除できる。このプロセスは、図６及び図７に関連して後述する。
【００２６】
図６は、サーバー装置６００内のロック機構１００を解除するために加えられる力５０を示す。具体的には、力５０は、フック構造体１４０の押圧領域１４７に加えることができる。上記のように、フック構造体１４０は、固定用要素１９５（図１に示される）によって固定構造体１１０に接続される。その結果、力５０は、フック構造体１４０だけでなく、固定構造体１１０も回動させる。図７は、サーバー装置６００内の解除状態のロック機構１００を示す。フック構造体１４０及び固定構造体１１０は、方向６０に回動する。係合解除により、アドオンカードの着脱が可能になる。
【００２７】
図８は、ロック機構１００Ａ及び１００Ｂによってサーバー装置６００内にそれぞれ固定される複数のアドオンカード８００Ａ及び８００Ｂを示す。アドオンカード８００Ａは、サーバー装置６００内にあるが、固定されていない。図８に示されるように、ロック機構１００Ａは解除位置にある。対照的に、ロック機構１００Ｂは、アドオンカード８００Ｂを固定する係合位置にある。ロック機構１００Ｂの係合位置は、フック構造体を各アドオンカード８００Ｂ上の係合部品と当接させることによって、アドオンカードを固定する。これは、図１０Ａ及び図１０Ｂに関連して以下でより詳細に論じられる。
【００２８】
図９Ａは、サーバー装置６００内のロック機構１００に係合するために加えられる第１の力７０を示す。フック構造体１４０は、最初にアドオンカード８００に向かって回動される。図９Ｂは、サーバー装置６００内のロック機構１００を係合させるために加えられる第２の力８０を示す。アドオンカード８００は、ロック機構１００のフック構造体１４０と係合するように構成された固定用要素を有することができる。第２の力８０によって、フック構造体１４０が、アドオンカードの固定用要素に係合する。これを図１０Ａ及び図１０Ｂに示す。図９Ｃは、サーバー装置６００内にアドオンカード８００を固定する係合状態のロック機構１００を示す。
【００２９】
図１０Ａは、アドオンカード８００を固定するためにロック機構１００を係合するための第１の力７０を加える側面図である。フック構造体１４０は、第２のクレスト形状部１４５とトラフ形状部１４６との間に位置するノッチ要素１４９を有することができる。ノッチ要素１４９は、タブ要素１５０を含むことができる。フック構造体１４０がピボット要素１９０の周りを回動するにつれて、トラフ形状部１４６がアドオンカード８００上の固定用要素８０１に接触する。フック構造体１４０が押し下げられるにつれて（図９Ｂを参照）、固定用要素８０１はノッチ要素１４９に嵌まるまで、タブ要素１５０を通過して前進する。固定用要素８０１がノッチ要素１４９と噛み合うと、アドオンカードがサーバー装置６００内に固定される。図１０Ｂは、サーバー装置６００内にアドオンカード８００を固定する係合状態のロック機構１００の側面図を示す。
【００３０】
図１１は、本開示の一実施形態による、ロック機構１１００の分解図である。ロック機構１１００は、固定構造体１１１０及び支持ブラケット１１７０を含むことができる。支持ブラケット１１７０は、支持ブラケット１１７０及び固定構造体１１１０が係合位置と解除位置との間を摺動できるように、固定構造体１１１０を収容するように構成される。ロック機構１１００は、サーバー装置（図示せず）内にアドオンカードを固定するように構成される。これは、図１８に関連して以下に示す。ロック機構１１００は、例えば、インテリジェント周辺機器管理インターフェース（ＩＰＭＩ）互換サーバー管理アドオンカード等の種々のタイプのアドオンカードを固定するように設計することができる。ロック機構１１００及びその部品は、曲げ加工、成形加工及びプレス加工等の従来の金属加工技法を用いて、板金で作ることができる。代替の実施形態において、ロック機構１１００は、ステンレス鋼、軟鋼、又は費用体効果が高く、硬度が高く及び耐食性を実現する任意の材料から作ることができる。
【００３１】
固定構造体１１１０は、近位端１１１１と、反対に位置する遠位端１１１２とを備える細長い本体を含むことができる。また、固定構造体１１１０は、細長い本体の長さに沿ってリップ形状部１１１３を含むことができる。固定構造体１１１０のリップ形状部１１１３は、トレイ装置（図示せず）の固定用要素を受けるように構成された開口部１１１４付近に存在することができる。また、固定構造体１１１０は、その上面に、固定用要素を固定する孔１１１５を有することができる。これが、図１９Ａ、図１９Ｂ及び図１９Ｃに関連して以下でより詳細に論じられる。
【００３２】
支持ブラケット１１７０は、固定構造体１１１０を収容するように構成される受容領域１１７９を含むことができる。受容領域１１７９は、孔１１８０及び１１８１を含むことができる。孔１１８０、１１８１は、サーバー装置（図示せず）内のロック機構１１００を固定する固定構造体１１１０（図示されない）内の孔と位置合わせするように構成される。孔１１８０、１１８１は、ナット及びボルト、ねじ等の任意のコネクタ又は固定部材を用いて２つの部品が嵌合するように、互いに、かつ固定構造体１１１０の孔と位置合わせすることができる。この例の場合には、固定構造体１１１０及び支持ブラケット１１７０の両方の孔が、ねじ１１９５を受けるように構成される。
【００３３】
図１２及び図１３はそれぞれ、ロック機構１１００の上面図及び正面図を示す。図１２を参照すると、支持ブラケット１１７０は、近位端１１７３及び遠位端１１７４を含むことができる。支持ブラケット１１７０は、近位端１１７３において第１のタブ１１７５を含む。第１のタブ１１７５は、細長い孔１１７７を含むことができる。同様に、支持ブラケット１１７０は、遠位端１１７４に第２のタブ１１７６を含む。第２のタブ１１７６は、細長い孔１１７８を含むことができる。ロック機構１１００は、リベット、ナット及びボルト、ねじ等の任意のコネクタ又は固定部材を用いて、トレイ装置（図示せず）に固定することができる。孔１１７７、１１７８は、コネクタ又は固定部材を受けるように構成される。孔１１７７、１１７８の細長い形状によって、ロック機構１１００が、係合位置と解除位置との間で摺動できるようになる。少し図１３を参照すると、固定構造体１１１０の孔１１１５及び１１１６が見える。孔１１１５及び１１１６は、リップ形状部１１１３の真後ろに位置する。
【００３４】
図１２及び図１３は、係合位置にあるロック機構１１００を示す。特に図１２を参照すると、固定構造体１１１０のリップ形状部１１１３は、係合位置にあるロック機構１１００からわずかに突出する。リップ形状部１１１３は、この位置にアドオンカード（図示せず）を固定するように構成される。また、リップ形状部１１１３は、ロック機構１１００を解除する力を受けてアドオンカードを解放するように構成される。
【００３５】
図１４は、本開示の一実施形態によるトレイ装置４０００上に取り付けられたロック機構１１００を示す。トレイ装置４０００は、孔４０１０及び孔４０２０を含むことができる。孔４０１０、４０２０は、リベット、ナット及びボルト、ねじ等の任意のコネクタ又は固定部材を用いて２つの部品が互いに嵌合するように、互いに、かつ支持ブラケット１１７０の細長い孔１１７７、１１７８と位置合わせできる。図１４のこの例の場合には、トレイ装置４０００及び支持ブラケット１１７０の両方の孔が、ピボット要素４２００を受けるように構成される。トレイ装置４０００はブリッジ４０３０も含むことができる。ブリッジ４０３０は、固定用要素４０３１及び４０３２を含む。固定用要素４０３１及び４０３２は、ロック機構１１００の固定構造体１１１０と接続するように構成される。固定用要素４０３１及び４０３２は２つの部品が互いに嵌合するように、互いに、かつ固定構造体１１１０の孔（図１３に関連して上述の［１１１５、１１１６］）と位置合わせできる。
【００３６】
トレイ装置４０００上に複数のロック機構１１００を取り付けることができることを理解されたい。図１５は、サーバー装置６０００内のトレイ装置４０００上に取り付けられた２つのロック機構１１００を示す。サーバー装置６０００内に取り付けられるときに、ロック機構１１００はアドオンカードを受けるように係合及び解除可能である。このプロセスは、図１６及び図１７に関連して以下で論じられる。
【００３７】
図１６は、サーバー装置６０００内のロック機構１１００を解除するために加えられる力５００を示す。図１７は、サーバー装置６０００内の解除状態のロック機構１１００を示す。特に図１６を参照すると、力５００は固定構造体１１１０のリップ形状部１１１３に加えられる。力５００は、トレイ４０００の固定用要素４０３１、４０３２（図１７に示される）のためのクリアランスを提供するのに十分にリップ形状部１１１３を持ち上げることができ、それにより、ロック機構１１００を解除する。上記のように、固定構造体１１１０は、支持ブラケット１１７０に接続される。結果として、力５００は、リップ形状部１１１３を持ち上げるだけでなく、支持ブラケット１１７０を方向６１０に動かす。係合を解除することによって、アドオンカードの着脱が可能になる。
【００３８】
図１８は、複数のロック機構１１００Ａ及び１１００Ｂを示す。ロック機構１１００Ａは解除位置に示されている。アドオンカード８０００は、ロック機構１１００Ａによってサーバー装置６０００内に取り付けられる。アドオンカード８０００は、サーバー装置６０００内にあるが、固定されていない。図１８に示されるように、ロック機構１１００Ａは解除位置にある。対照的に、ロック機構１１００Ｂは係合位置にある。ロック機構の係合位置は、トレイ装置４０００の固定用要素を固定構造体１１１０の孔と当接させることによって、アドオンカードを固定する。この嵌合は、アドオンカードの係合要素に起因して、アドオンカードを所定の位置にロックする。これは、図２０Ａ及び図２０Ｂに関連して以下により詳細に論じられる。
【００３９】
図１９Ａは、サーバー装置６０００内のロック機構１１００を係合させるために加えられる力７００を示す。アドオンカード８０００はそれぞれ、トレイ装置４０００の固定用要素４０３２、４０３１と接続するように構成される係合要素８０１０を有することができる。係合要素８０１０は、サーバー装置６０００内に最初に配置されると、固定用要素４０３２、４０３１と当接するように構成される。リップ形状部１１１３に加えられる力７００によって、ロック機構１１００が、アドオンカード８０００に向かって移動する。図１９Ｂは、リップ形状部１１１３との固定用要素４０３２、４０３１の係合を示す。力７００が絶えず加えられると、２つの部品が嵌合するように、固定用要素４０３２、４０３１が固定構造体１１１０の孔（図１３に関連して上述の［１１１５、１１１６］）に嵌まるまで、リップ形状部１１１３を通過して前進する。これを図２０Ａ及び図２０Ｂに示す。図１９Ｃは、サーバー装置６０００内にアドオンカード８０００を固定する係合状態のロック機構１１００を示す。
【００４０】
図２０Ａは、アドオンカード８０００を固定するためにロック機構１１００を係合させる力７００を加える側面図を示す。固定構造体１１１０がアドオンカード８０００に向かって前進すると、リップ形状部１１１３がトレイ装置４０００上の固定用要素４０３２に接触する。固定用要素４０３２に接触すると、固定用要素４０３２が孔１１１５に嵌まるまで、ロック機構１１００はアドオンカード８０００に向かって絶えず前進する。固定用要素４０３２が孔１１１５に係止されると、アドオンカードはサーバー装置６０００内に固定される。図２０Ｂは、サーバー装置６０００内にアドオンカード８０００を固定する係合状態のロック機構１１００の側面図を示す。
【００４１】
本発明の特定の実施形態が図示及び説明されてきたが、本発明のより広範な態様において、本発明から逸脱することなく、改変及び変更を加えることができることは当業者には
明らかであろう。それゆえ、添付の特許請求の範囲の目的は、本発明の趣旨及び範囲内に入る全てのそのような改変及び変更を網羅することである。これまでの説明及び添付の図面において記述される事柄は、限定ではなく例示としてのみ提供される。本発明の実際の範囲は、従来技術に基づいて適切な視点から考察されるときに、以下の特許請求の範囲において定義されることを意図している。
【００４２】
本明細書において使用される用語は、特定の実施形態のみを記述する目的のためのものであり、本発明を制限することは意図していない。本明細書において使用されるときに、単数形「１つの（a、an）」及び「その（the）」は、文脈において他に明確に指示されない限り、複数形も含むことを意図している。さらに、詳細な説明及び／又は特許請求の範囲のいずれかにおいて、用語「含む（including、includes）」、「有する（having、has）」、「備える（with）」又はその変形体が使用される限り、かかる用語は、用語「備える（comprising）」に類似する方法で包括されることを意図している。
【００４３】
別段の規定がない限り、本明細書において使用される全ての用語（科学技術用語を含む）は、本発明が属する技術分野の当業者によって共通に理解されるのと同じ意味を有する。さらに、一般的に使用される辞書において定義される用語等の用語は、関連技術に照らした場合のその意味と一致する意味を有するものとして解釈されるべきであり、本明細書において明確に定義されない限り、理想的な意味又は過度に形式的な意味には解釈されない。
【符号の説明】
【００４４】
５０…力、６０…方向、７０…第１の力、８０…第２の力、１００、１００Ａ、１００Ｂ…ロック機構、１１０…固定構造体、１１１…近位端、１１２…遠位端、１１３…上面、１１４…側面、１１５…第１の側面、１１６…第２の側面、１１７…孔、１１８、１１９…タブ、１２０、１２１…孔、１２１…遠位端、１４０…フック構造体、１４１…受け要素、１４４…第１のクレスト形状部、１４５…第２のクレスト形状部、１４６…トラフ形状部、１４７…押圧領域、１４９…ノッチ要素、１５０…タブ要素、１７０…支持ブラケット、１７１、１７２…孔、１７３…近位端、１７４…遠位端、１７５…第１のタブ、１７６…第２のタブ、１７７、１７８…孔、１７９…受容領域、１８０、１８１…孔、１９０…ピボット要素、１９５…固定用要素、４００…トレイ装置、４０１、４０２…孔、４０３…ブリッジ、４０４、４０５…孔、４２０、４２５…リベット、４２５…リベット、５００…力、６００…サーバー装置、６１０…方向、７００…力、８００、８００Ａ、８００Ｂ…アドオンカード、８０１…固定用要素、１１００、１１００Ａ、１１００Ｂ…ロック機構、１１１０…固定構造体、１１１１…近位端、１１１２…遠位端、１１１３…リップ形状部、１１１４…開口部、１１１５、１１１６…孔、１１７０…支持ブラケット、１１７３…近位端、１１７４…遠位端、１１７５…第１のタブ、１１７６…第２のタブ、１１７７、１１７８…孔、１１７９…受容領域、１１８０、１１８１…孔、４０００…トレイ装置、４０１０、４０２０…孔、４０３０…ブリッジ、４０３１…固定用要素、４０３１、４０３２…固定用要素、４２００…ピボット要素、６０００…サーバー装置、８０００…アドオンカード、８０１０…係合要素。
【図１】
2020035414.tif 000003
【図２】
2020035414.tif 000004
【図３】
2020035414.tif 000005
【図４】
2020035414.tif 000006
【図５】
2020035414.tif 000007
【図６】
2020035414.tif 000008
【図７】
2020035414.tif 000009
【図８】
2020035414.tif 000010
【図９Ａ】
2020035414.tif 000011
【図９Ｂ】
2020035414.tif 000012
【図９Ｃ】
2020035414.tif 000013
【図１０Ａ】
2020035414.tif 000014
【図１０Ｂ】
2020035414.tif 000015
【図１１】
2020035414.tif 000016
【図１２】
2020035414.tif 000017
【図１３】
2020035414.tif 000018
【図１４】
2020035414.tif 000019
【図１５】
2020035414.tif 000020
【図１６】
2020035414.tif 000021
【図１７】
2020035414.tif 000022
【図１８】
2020035414.tif 000023
【図１９Ａ】
2020035414.tif 000024
【図１９Ｂ】
2020035414.tif 000025
【図１９Ｃ】
2020035414.tif 000026
【図２０Ａ】
2020035414.tif 000027
【図２０Ｂ】
2020035414.tif 000028
【外国語明細書】
2020035414.tif 000029
2020035414.tif 000030
2020035414.tif 000031
2020035414.tif 000032
2020035414.tif 000033
2020035414.tif 000034
2020035414.tif 000035
2020035414.tif 000036
2020035414.tif 000037
2020035414.tif 000038
2020035414.tif 000039
2020035414.tif 000040
2020035414.tif 000041
2020035414.tif 000042
2020035414.tif 000043
2020035414.tif 000044
2020035414.tif 000045
2020035414.tif 000046
2020035414.tif 000047
2020035414.tif 000048
2020035414.tif 000049
2020035414.tif 000050
2020035414.tif 000051
2020035414.tif 000052
2020035414.tif 000053
2020035414.tif 000054
2020035414.tif 000055
2020035414.tif 000056
2020035414.tif 000057
2020035414.tif 000058
2020035414.tif 000059
2020035414.tif 000060
2020035414.tif 000061
2020035414.tif 000062
2020035414.tif 000063
2020035414.tif 000064
2020035414.tif 000065
2020035414.tif 000066
2020035414.tif 000067
2020035414.tif 000068
2020035414.tif 000069
2020035414.tif 000070
2020035414.tif 000071
2020035414.tif 000072
2020035414.tif 000073
2020035414.tif 000074
2020035414.tif 000075